(57)【要約】【課題】内容物である液体が外気に触れることなく保存できる、液体注出容器の中栓を提供する。【解決手段】液体注出容器の内容物である液体３を、容器２及び上蓋１において保存する際、前記容器２及び前記上蓋１内に、中栓球７及び中栓上部中央穴９及び中栓上部側穴１０及び中栓下部傾斜部８及び中栓下部中央穴１１から構成される中栓６を設けることによって、前記内容物である液体３が外気に触れることなく保存できる。【選択図】図３
2013112421.tif 000002
【特許請求の範囲】
【請求項１】
液体注出容器の内容物である液体を、容器及び上蓋において保存する際、前記容器及び前記上蓋内に、中栓球及び中栓上部中央穴及び中栓上部側穴及び中栓下部傾斜部及び中栓下部中央穴から構成される中栓を設けることによって、前記内容物である液体が外気に触れることなく保存できることを特徴とする液体注出容器の中栓。
【請求項２】
請求項１記載の前記中栓上部中央穴及び前記中栓上部側穴を排除した中栓を設けることによって、前記内容物である液体が外気に触れることなく保存できることを特徴とする液体注出容器の中栓。
【発明の詳細な説明】
【発明の詳細な説明】
【技術分野】
【０００１】  本発明は、内容物である液体が外気に触れることなく保存できる、液体注出容器の中栓に関するものである。
【背景技術】
【０００２】  従来、液体注出容器は、図１に示す容器２及び上蓋１及び上蓋１に形成される液体吐出穴４から構成されるものがある。【０００３】  また、図２に示す容器２及び上蓋１及び上蓋１に形成される液体吐出穴４から構成され、更に液体吐出穴栓５を設けることで、液体吐出穴４を塞ぎ、外気が入り込むことを防止させる構成のものがある。
【発明の概要】
【発明が解決しようとする課題】
【０００４】  ところが、図１に示す液体注出容器では、上蓋１に形成される液体吐出穴４から外気が入り込み、内容物である液体３が外気に触れて、劣化及び変質する場合がある。【０００５】  また、図２に示す液体注出容器では、液体吐出穴栓５を設けることで、上蓋１に形成される液体吐出穴４を塞ぎ、外気が入り込むことを防止させることは可能であるが、液体吐出穴栓５が液体注出容器の作業性の妨げになる場合がある。
【課題を解決するための手段】
【０００６】  上記課題を解決するために、請求項１に記載のものは、液体注出容器の内容物である液体を、容器及び上蓋において保存する際、前記容器及び前記上蓋内に、中栓球及び中栓上部中央穴及び中栓上部側穴及び中栓下部傾斜部及び中栓下部中央穴から構成される中栓を設ける。【０００７】  請求項２に記載のものは、請求項１記載の前記中栓上部中央穴及び前記中栓上部側穴を排除した中栓を設ける。【０００８】  従って、請求項１及び請求項２に記載の発明によれば、前記液体注出容器の内容物である液体を、前記容器及び前記上蓋において保存する際、前記容器及び前記上蓋内に設けられた前記中栓によって、前記内容物である液体が外気に触れることなく保存できる。
【発明の効果】
【０００９】  請求項１に記載の発明によれば、液体注出容器の内容物である液体を、容器及び上蓋において保存する際、容器及び上蓋内に、中栓球及び中栓上部中央穴及び中栓上部側穴及び中栓下部傾斜部及び中栓下部中央穴から構成される中栓を設けることによって、これにより内容物である液体が外気に触れて劣化及び変質することを、容易な構成で防止させることを可能とする。【００１０】  請求項２に記載の発明によれば、請求項１記載の中栓上部中央穴及び中栓上部側穴を排除した中栓を設けることによって、これにより内容物である液体が外気に触れて劣化及び変質することを、容易な構成で防止させることを可能とする。
【図面の簡単な説明】
【００１１】
【図１】従来の技術における液体注出容器の断面図
【図２】従来の技術における液体注出容器の断面図
【図３】本発明（請求項１記載）における液体注出容器の中栓と液体注出容器の断面図
【図４】本発明（請求項１記載）における液体注出容器の中栓の斜視図
【図５】本発明（請求項１記載）における液体注出容器の中栓と液体注出容器の断面図
【図６】本発明（請求項２記載）における液体注出容器の中栓と液体注出容器の断面図
【図７】本発明（請求項２記載）における液体注出容器の中栓の斜視図
【図８】本発明（請求項２記載）における液体注出容器の中栓と液体注出容器の断面図
【図９】本発明における液体注出容器の中栓と液体注出容器の断面図
【図１０】本発明における液体注出容器の中栓の斜視図
【発明を実施するための形態】
【実施例】
【００１２】  以下、本発明の一実施形態を、図面に基づいて説明する。【００１３】  図３は、請求項１記載による液体注出容器の内容物である液体３を、容器２及び上蓋１及び中栓６において保存する状態を示す。【００１４】  この時、中栓６に設けられている中栓球７が、中栓下部傾斜部８に接することで、内容物である液体３が外気に触れることなく保存できる。【００１５】  図４は、請求項１記載による液体注出容器の中栓６の斜視図を示す。【００１６】  図５は、請求項１記載の中栓６を有する液体注出容器を傾けることにより、内容物である液体３を、上蓋１に形成される液体吐出穴４から吐出する状態を示す。【００１７】  この時、液体注出容器を傾けることにより、中栓６に設けられている中栓球７が、中栓下部傾斜部８より離脱し、内容物である液体３は、中栓下部中央穴１１を通過し、更に中栓上部中央穴９及び中栓上部側穴１０を通過し、更に上蓋１に形成される液体吐出穴４から吐出される。【００１８】  なお、本実施形態において、中栓球７を１箇所と設定するが、図９に示す容器２の開口部１２の大きさなどから数箇所設けてもよく、これに限定されることはない。【００１９】  また、本実施形態において、中栓上部側穴１０を４箇所、長穴形状と設定するが、内容物である液体３の状態などから図１０に示す複数箇所及び任意の形状で設けてもよく、これに限定されることはない。【００２０】  図６は、請求項２記載による液体注出容器の内容物である液体３を、容器２及び上蓋１及び中栓６において保存する状態を示す。【００２１】  この時、中栓６に設けられている中栓球７が、中栓下部傾斜部８に接することで、内容物である液体３が外気に触れることなく保存できる。【００２２】  図７は、請求項２記載による液体注出容器の中栓６の斜視図を示す。【００２３】  図８は、請求項２記載の中栓６を有する液体注出容器を傾けることにより、内容物である液体３を、上蓋１に形成される液体吐出穴４から吐出する状態を示す。【００２４】  この時、液体注出容器を傾けることにより、中栓６に設けられている中栓球７が、中栓下部傾斜部８より離脱し、内容物である液体３は、中栓下部中央穴１１を通過し、更に上蓋１に形成される液体吐出穴４から吐出される。
【符号の説明】
【００２５】１…上蓋、２…容器、３…内容物である液体、４…液体吐出穴、５…液体吐出穴栓、６…中栓、７…中栓球、８…中栓下部傾斜部、９…中栓上部中央穴、１０…中栓上部側穴、１１…中栓下部中央穴、１２…開口部
【図１】
2013112421.tif 000003
【図２】
2013112421.tif 000004
【図３】
2013112421.tif 000005
【図４】
2013112421.tif 000006
【図５】
2013112421.tif 000007
【図６】
2013112421.tif 000008
【図７】
2013112421.tif 000009
【図８】
2013112421.tif 000010
【図９】
2013112421.tif 000011
【図１０】
2013112421.tif 000012